(57)【要約】  本開示の実施形態は、通信を実行するための方法および装置を提供する。方法は、候補送信パターンのセットからターゲット送信パターンを決定することと、ターゲット送信パターンを用いてネットワーク装置と端末装置との間で通信を行うことと、を備え、ターゲット送信パターンは、基準信号、ＣＲＣを実行するための信号、およびフィードバック信号のうちの１つまたは複数を含む信号によって示される。【選択図】図３
2019527511.tif 000002
【特許請求の範囲】
【請求項１】
１組の候補送信パターンからターゲット送信パターンを決定することと、
前記ターゲット送信パターンを使用することによりネットワーク装置と端末装置との間の通信を実行することと、
を備え、
前記ターゲット送信パターンは、基準信号、巡回冗長検査（ＣＲＣ）を実行するための信号、およびフィードバック信号のうちの１つまたは複数を含む信号によって示される、
装置によって実行される方法。
【請求項２】
前記ターゲット送信パターンは、
周波数領域における前記基準信号の位置、
時間領域における基準信号の位置、
周波数領域における前記基準信号の密度、
時間領域における前記基準信号の密度、
周波数領域における前記基準信号のサブキャリアスペース、
時間領域における前記基準信号のシンボル期間、
時間領域における前記基準信号のシンボルの数、
前記基準信号を生成するための初期化パラメータまたは初期化シーケンス、及び
前記基準信号の巡回シフトのうちの１つまたは複数によって示される、
請求項１に記載の方法。
【請求項３】
前記ターゲット送信パターンは、
ＣＲＣを実行するための前記信号のマスク、
ＣＲＣを実行するための前記信号の長さ、及び
前記ＣＲＣが正しいか、のうちの１つまたは複数によって示される、
請求項１に記載の方法。
【請求項４】
前記フィードバック信号は、ＡＣＫ（Acknowledgement）又はＮＡＣＫ（Negative Acknowledgement）であり、
前記ターゲット送信パターンは、時間領域又は周波数領域における前記フィードバック信号の位置によって示される、
請求項１に記載の方法。
【請求項５】
前記候補送信パターンのそれぞれは、ＤＬ（Downlink）送信部分および／またはＵＬ（Uplink）送信部分を含み、
前記候補送信パターンは、前記ＤＬ送信部分および／または前記ＵＬ送信部分の持続時間および／またはサブキャリアスペースに関して互いに異なる、
請求項１に記載の方法。
【請求項６】
前記ターゲット送信パターンで送信される前記信号は、
前記ＤＬ送信部分および／または前記ＵＬ送信部分の前記持続時間、
前記ＤＬ送信部分および／または前記ＵＬ送信部分のサブキャリアスペース、
前記ＤＬ送信部分と前記ＵＬ送信部分との間のガード期間（ＧＰ）部分の持続時間、及び、
前記ＤＬ送信部分または前記ＵＬ送信部分のどちらに通信があるか、のうちの１つまたは複数を示す、
請求項５に記載の方法。
【請求項７】
前記ターゲット送信パターンを決定することは、前記ターゲット送信パターンが前記端末装置のそれぞれに対して同じであることを要求することなく、前記ネットワーク装置において、前記ネットワーク装置により提供される各端末装置に対する前記候補送信パターンの組からターゲット送信パターンを決定することをさらに備える、
請求項１に記載の方法。
【請求項８】
１組の候補送信パターンからターゲット送信パターンを決定するように構成されたコントローラと、
前記ターゲット送信パターンを使用することによりネットワーク装置と端末装置との間の通信を実行するように構成されたトランシーバと、
を備え、
前記ターゲット送信パターンは、基準信号、巡回冗長検査（ＣＲＣ）を実行するための信号、およびフィードバック信号のうちの１つまたは複数を含む信号によって示される、
通信を実行する装置。
【請求項９】
前記ターゲット送信パターンは、
周波数領域における前記基準信号の位置、
時間領域における基準信号の位置、
周波数領域における前記基準信号の密度、
時間領域における前記基準信号の密度、
周波数領域における前記基準信号のサブキャリアスペース、
時間領域における前記基準信号のシンボル期間、
時間領域における前記基準信号のシンボルの数、
前記基準信号を生成するための初期化パラメータまたは初期化シーケンス、及び
前記基準信号の巡回シフトのうちの１つまたは複数によって示される、
請求項８に記載の装置。
【請求項１０】
前記ターゲット送信パターンは、
ＣＲＣを実行するための前記信号のマスク、
ＣＲＣを実行するための前記信号の長さ、及び
前記ＣＲＣが正しいか、のうちの１つまたは複数によって示される、
請求項８に記載の装置。
【請求項１１】
前記フィードバック信号は、ＡＣＫ（Acknowledgement）又はＮＡＣＫ（Negative Acknowledgement）であり、
前記ターゲット送信パターンは、時間領域又は周波数領域における前記フィードバック信号の位置によって示される、
請求項８に記載の装置。
【請求項１２】
前記候補送信パターンのそれぞれは、ＤＬ（downlink）送信部分および／またはＵＬ（Uplink）送信部分を含み、
前記候補送信パターンは、前記ＤＬ送信部分および／または前記ＵＬ送信部分の持続時間および／またはサブキャリアスペースに関して互いに異なる、
請求項８に記載の装置。
【請求項１３】
前記ターゲット送信パターンで送信される前記信号は、
前記ＤＬ送信部分および／または前記ＵＬ送信部分の前記持続時間、
前記ＤＬ送信部分および／または前記ＵＬ送信部分のサブキャリアスペース、
前記ＤＬ送信部分と前記ＵＬ送信部分との間のガード期間（ＧＰ）部分の持続時間、及び
前記ＤＬ送信部分または前記ＵＬ送信部分のどちらに通信があるか、のうちの１つまたは複数を示す、
請求項５に記載の装置。
【請求項１４】
前記コントローラは、前記ターゲット送信パターンが前記端末装置のそれぞれに対して同じであることを要求することなく、前記ネットワーク装置において、前記ネットワーク装置により提供される各端末装置に対する前記候補送信パターンの組からターゲット送信パターンを決定するようにさらに構成される、
請求項８に記載の装置。
【発明の詳細な説明】
【技術分野】
【０００１】
本開示の実施形態は、一般に通信技術に関する。特に、本開示の実施形態は、通信を実行するための方法および装置に関する。
【背景技術】
【０００２】
エンハンスされたモバイルブロードバンド通信、大規模なマシンタイプ通信、超高信頼性および低遅延通信などのような、より高いスループットおよび／または高速通信を可能にするために通信システムの性能を改善するための通信技術が開発されている。これらの通信は、所定の送信パターンに従ってネットワーク装置および端末装置によって一般的に行われる。
【０００３】
通信システムでは、送信パターンは一般に、時間領域および／または周波数領域のリソースに関する設定を指す。例えば、送信パターンは、時間領域では１つ以上のサブフレームまたは一定数のシンボルに対応し、周波数領域では１つ以上のサブキャリアに対応する。通信技術の発展に伴い、送信パターンの指示は、ネットワーク装置および端末装置によって迅速に、突然にそして効率的に知られる必要がある。
【０００４】
従来、送信パターンに関する指示は、下りリンク制御情報や上位レイヤの信号に含まれていた。したがって、ネットワーク装置および／または端末装置は、そのような情報のためにリソースを復号して割り当てなければならないかもしれない。そのようなものとして、指示を取得するために多くの時間が費やされ、これはいくつかの超高信頼性および低遅延通信には許されない。
【０００５】
したがって、より効率的な方法で送信パターンを示す通信を実行するための方式が必要とされる。
【発明の概要】
【発明が解決しようとする課題】
【０００６】
本開示は、より効率的な方法で送信パターンを示すために通信を実行するための解決策を提案する。
【課題を解決するための手段】
【０００７】
本開示の実施形態の第１の態様によれば、本開示の実施形態は、装置によって実行される方法を提供する。装置は、１組の候補送信パターンからターゲット送信パターンを決定する。ターゲット送信パターンは、基準信号、巡回冗長検査（ＣＲＣ：Cyclic Redundancy Check）を実行するための信号、およびフィードバック信号のうちの１つまたは複数を含む信号によって示される。そして、ターゲット送信パターンを用いてネットワーク機器と端末機器との間の通信が行われる。
【０００８】
本開示の実施形態の第２の態様によれば、本開示の実施形態は通信を実行するための装置を提供する。装置は、１組の候補送信パターンからターゲット送信パターンを決定するように構成されたコントローラと、ターゲット送信パターンは、基準信号、ＣＲＣを実行するための信号、およびフィードバック信号のうちの１つまたは複数を含む信号によって示され、ターゲット送信パターンを用いてネットワーク機器と端末機器との間で通信を実行するトランシーバと、を備える。
【０００９】
本開示の実施形態の他の特徴および利点は、本開示の実施形態の原理を一例として示す添付の図面と併せて読めば、以下の特定の実施形態の説明からも明らかになるであろう。
【図面の簡単な説明】
【００１０】
本開示の実施形態は、例の意味で提示されており、それらの利点は、添付の図面を参照しながら以下でより詳細に説明される。
【００１１】
【図１】図１は、本開示の実施形態による通信システム１００の概略図を示す。
【００１２】
【図２】図２は、本開示の実施形態による送信パターンの概略図２００を示す。
【００１３】
【図３】図３は、本開示の実施形態による通信を実行するための方法３００のフローチャートである。
【００１４】
【図４】図４は、本開示の実施形態によるＲＳ指示の図４００を示す。
【００１５】
【図５Ａ】図５Ａは、本開示の実施形態によるＲＳ指示の図５００を示す。
【図５Ｂ】図５Ｂは、本開示の実施形態によるＲＳ指示の図５５０を示す。
【００１６】
【図６Ａ】図６Ａは、本開示の実施形態によるＲＳ指示の図６００を示す。
【図６Ｂ】図６Ｂは、本開示の実施形態によるＲＳ指示の図６１０を示す。
【図６Ｃ】図６Ｃは、本開示の実施形態によるＲＳ指示の図６２０を示す。
【００１７】
【図７】図７は、本開示の実施形態によるＲＳ指示の図７００を示す。
【００１８】
【図８】図８は、本開示の実施形態によるＴＤＤおよび異なるＧＰ期間に関する異なる端末装置、ＵＥ１およびＵＥ２の送信パターンの図８００を示す。
【００１９】
【図９】図９は、本開示の実施形態によるＣＲＣ指示の図９００を示す。
【００２０】
【図１０Ａ】図１０Ａは、本開示の実施形態によるフィードバック信号表示の図１０００を示す。
【図１０Ｂ】図１０Ｂは、本開示の実施形態によるフィードバック信号表示の図１０５０を示す。
【００２１】
【図１１Ａ】図１１Ａは、本開示の実施形態によるＤＬバンドでの上りリンク送信の図１１００を示す。
【００２２】
【図１１Ｂ】図１１Ｂは、本開示の実施形態による図１１Ａの実施形態における上りリンク送信のリソース割り当ての図１１１０を示す。
【図１１Ｃ】図１１Ｃは、本開示の実施形態による図１１Ａの実施形態における上りリンク送信のリソース割り当ての図１１２０を示す。
【００２３】
【図１２】図１２は、上記の実施形態による周波数リソース構成の図１２００を示す。
【００２４】
【図１３】図１３は、本開示の実施形態による周波数リソース構成の別の図１３００を示す。
【００２５】
【図１４】図１４は、本開示の実施形態による周波数リソース構成のさらに別の図１４００を示す。
【００２６】
【図１５】図１５は、本開示の実施形態によるガードバンドにおけるＡＣＫ／ＮＡＣＫの図１５００を示す。
【００２７】
【図１６】図１６は、本開示の実施形態によるガードバンドにおけるＡＣＫ／ＮＡＣＫの図１６００を示す。
【００２８】
【図１７】図１７は、本開示の実施形態による、ガードバンド内のＡＣＫ／ＮＡＣＫの図１７００を示す。
【００２９】
【図１８】図１８は、本開示の実施形態による、ＤＬバンド内の割り当てられたリソースにおけるＡＣＫ／ＮＡＣＫの図１８００を示す。
【００３０】
【図１９】図１９は、本開示の実施形態による、ＵＬバンドでの下りリンク送信の図１９００を示す。
【００３１】
【図２０】図２０は、本開示の実施形態によるＤＬ送信の図２０００を示す。
【００３２】
【図２１】図２１は、本開示の実施形態による装置２１００の概略図を示す。
【００３３】
図面全体を通して、同一または類似の参照番号は、同一または類似の要素を示す。
【発明を実施するための形態】
【００３４】
本明細書に記載の主題は、いくつかの例示的な実施形態を参照しながら説明される。これらの実施形態は、主題の範囲に対する何らかの制限を示唆するのではなく、当業者が本明細書に記載の主題をよりよく理解し、したがって実施することを可能にする目的でのみ説明されることを理解されたい。
【００３５】
本明細書で使用される用語は、特定の実施形態を説明することのみを目的としており、例示の実施形態を限定することを意図するものではない。本明細書で使用されるとき、単数形「ａ」、「ａｎ」および「ｔｈｅ」は、文脈が明らかにそうでないことを示さない限り、複数形も含むことを意図している。用語「備える」、「備えている」、「含む」および／または「含んでいる」は、本明細書で使用されるとき、記載された特徴、整数、ステップ、動作、要素、および／または構成要素の存在を特定することをさらに理解されたい。１つまたは複数の他の特徴、整数、ステップ、動作、要素、構成要素、および／またはそれらのグループの存在または追加を排除しない。
【００３６】
また、いくつかの代替の実装形態では、言及された機能／動作は、図に示された順序とは異なる順序で行われてもよいことに留意されたい。例えば、連続して示される２つの機能または行為は、関与する機能／行為に応じて、実際には同時に実行されてもよく、時には逆の順序で実行されてもよい。
【００３７】
本明細書で使用されるとき、用語「通信ネットワーク」は、ＬＴＥ−Ａ（LTE-Advanced）、ＬＴＥ（Long Term Evolution）、ＷＣＤＭＡ（登録商標）（Wideband Code Division Multiple Access）、ＨＳＰＡ（High-Speed Packet Access）などの任意の適切な通信規格に従うネットワークを指す。さらに、通信ネットワークにおける端末装置とネットワーク装置との間の通信は、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）の通信プロトコル、および／または現在知られているかまたは将来開発される他の任意のプロトコルを含むがこれらに限定されない任意の適切な世代の通信プロトコルに従って実行され得る。
【００３８】
本開示の実施形態は、様々な通信システムに適用することができる。通信の急速な発展を考えると、当然ながら、本開示を実施することができる将来のタイプの通信技術およびシステムもあるだろう。本開示の範囲を前述のシステムのみに限定すると見なすべきではない。
【００３９】
「ネットワーク装置」という用語は、基地局（ＢＳ：Base Station）、ゲートウェイ、管理エンティティ、および通信システム内の他の適切な装置を含むが、これらに限定されない。用語「基地局」または「ＢＳ」は、ノード  Ｂ（ノードＢまたはＮＢ）、発展型ノードＢ（ｅノードＢまたはｅＮＢ）、遠隔無線ユニット（ＲＲＵ：Remote Radio Unit）、無線ヘッダ（ＲＨ：Radio Header）、遠隔無線ヘッド（ＲＲＨ：Remote Radio Head）、リレー、フェムト、ピコなどの低電力ノードを表す。
【００４０】
用語「端末装置」は、「ユーザ機器（ＵＥ：User Equipment）」およびネットワーク装置と通信することができる他の適切な端末装置を含むが、これらに限定されない。例として、「端末装置」は、端末、移動端末（ＭＴ：Mobile Terminal）、加入者局（ＳＳ：Subscriber Station）、携帯加入者局、移動局（ＭＳ：Mobile Station）、またはアクセス端末（ＡＴ：Access Terminal）を指すことができる。
【００４１】
本開示のいくつかの例示的な実施形態が、図面を参照して以下に説明される。先ず、図１を参照する。図１は、本開示の実施形態による通信システム１００の概略図を示す。
【００４２】
通信システム１００には、特定の送信パターンを用いて２つの端末装置（以下、ＵＥともいう）１２１、１２２と通信するネットワーク装置（以下、ＢＳともいう）１１０が示されている。
【００４３】
本開示の文脈において、用語「送信パターン」は、時間領域および／または周波数領域におけるリソースに関する設定を指す。例えば、送信パターンは、時間領域では１つ以上のサブフレームまたは一定数のシンボルに対応し、周波数領域では１つ以上のサブキャリアに対応し得る。
【００４４】
送信パターンは、ＤＬ送信に完全に使用されてもよく、ＵＬ送信に完全に使用されてもよい。あるいは、いくつかの実施形態では、送信パターンは、ＤＬ送信とＵＬ送信の両方に使用され得る。したがって、本開示の実施形態では、送信パターンはＤＬ送信部分および／またはＵＬ送信部分を含むことができ、送信パターンはＤＬ送信部分および／またはＵＬ送信部分を含むことができる。いくつかの実施形態では、送信パターンは、それぞれのＤＬ送信部分および／またはＵＬ送信部分の持続時間および／またはサブキャリアスペースに関して互いに異なり得る。
【００４５】
本開示の実施形態では、送信パターンは、候補送信パターンの組と、候補送信パターンの組から選択または決定されるターゲット送信パターンとを含み得る。候補送信パターンの組は、下りリンクデータ送信に主に使用される下りリンク中心送信パターン、上りリンクデータ送信に主に使用される上りリンク中心送信パターン、下りリンク送信に完全に使用される下りリンク送信パターンおよび／または下りリンク送信に完全に使用される上りリンク送信パターンのうちの１つまたは複数を含み得る。
【００４６】
図２は、本開示の実施形態による異なる送信パターンの図を示す。図２に示すように、下りリンク中心送信パターン２１０は、下りリンク制御情報を送信する下りリンク送信部分２１１と、下りリンクデータを送信する下りリンク送信部分２１２と、ＧＰ（Guard Period）部分２１３と、上りリンク制御情報を送信するための上りリンク送信部分２１４（例えば、上りリンク制御チャネル（ＰＵＣＣＨ：Physical Uplink Control Channel））とを含む。送信パターン２１０では、下りリンクデータを送信するための下りリンク送信部分２１２が他の部分よりも長いため、下りリンク中心送信パターンと呼ばれる。
【００４７】
下りリンク中心送信パターン２２０は、下りリンク中心送信パターン２１０と同様に、下りリンクデータを送信するための下りリンク送信部分２２１と、ＧＰ（Guard Period）部分２２２と、上りリンク送信部分２２３とを含む。下りリンク中心送信パターン２１０と２２０との主な違いは、送信パターン２２０が下りリンク制御情報を送信する部分を含まないことである。
【００４８】
上りリンク中心送信パターン２３０は、下りリンク制御情報を送信する下りリンク送信部分２３１と、ＧＰ部分２３２と、上りリンクデータを送信する上りリンク送信部分２３３と、上りリンク制御情報を送信する上りリンク送信部分２３４（例えば、ＰＵＣＣＨ）とを含む。送信パターン２３０では、上りリンクデータを送信するための上りリンク送信部分２３３が他の部分よりも長いため、送信パターン２３０を上りリンク中心送信パターンと呼ぶ。
【００４９】
上りリンク中心送信パターン２３０は、上りリンク中心送信パターン２４０と同様に、下りリンク制御情報を送信する下りリンク送信部分２４１と、上りデータを送信するＧＰ部分２４２と、上りリンク送信部分２４３とを含む。上りリンク中心送信パターン２３０と２４０の主な違いは、送信パターン２４０が上りリンク制御情報を送信するための部分を含まないことである。
【００５０】
図２はまた、ＤＬ送信に完全に使用される全ての下りリンク送信パターン２５０と、ＵＬ送信に完全に使用される全ての上りリンク送信パターン２６０と、を示す。
【００５１】
反対に記載しない限り、用語「送信」または「通信」は制御情報および／またはデータの送信または通信を含み、本明細書で使用される用語「信号」は制御情報および／またはデータを含むことを理解されたい。
【００５２】
従来、送信パターンに関する指示は、下り制御情報や上位レイヤの信号に含まれていた。そして、端末装置は、指示を復号して送信パターンが何であるかを決定するために多くの時間を費やさなければならないもしれない。しかしながら、これは超高信頼性および低遅延通信のようなある種の通信には適用できない。
【００５３】
この問題を解決するために、本開示の実施形態は、送信パターンをより効率的な方法で示すために、以下で論じるような解決策を提案する。ここで、本開示のいくつかの例示的な実施形態が、以下の図を参照して以下に説明される。図３は、本開示の実施形態による通信を実行するための方法３００のフローチャートを示す。方法３００は、ＢＳ１１０、端末装置１２１、端末装置１２２、または他の適切な装置によって実施することができる。
【００５４】
方法３００は、ブロック３１０に入っていて、ここでターゲット送信パターンが１組の候補送信パターンから決定される。ターゲット送信パターンは、基準信号、ＣＲＣを実行するための信号、およびフィードバック信号のうちの１つまたは複数を含む信号によって示される。
【００５５】
基準信号は「ＲＳ」とも呼ばれ、復調基準信号（ＤＭＲＳ：Demodulation Reference Signal）、チャネル状態情報基準信号（ＣＳＩ−ＲＳ：Channel State Information - Reference Signal）、セル固有基準信号（ＣＲＳ：Cell-specific Reference Signal）、またはサウンディング基準信号（ＳＲＳ：Sounding Reference Signal）などを含むが、これらに限定されない。いくつかの実施形態では、ターゲット送信パターンは、例えば、周波数領域における基準信号の位置、時間領域における基準信号の位置、周波数領域における基準信号の密度、 時間領域における基準信号の密度、周波数領域における基準信号のサブキャリアスペース、時間領域における基準信号のシンボル期間、時間領域における基準信号のシンボル数、基準信号を生成するための初期シーケンス、および／または基準信号の巡回シフトなどによって示される。
【００５６】
ＣＲＣを実行するための信号は、マスク、長さ、ＣＲＣのシーケンスなど、ＣＲＣに関連する情報を含む。そのような信号をチェックすることによって、端末装置はＣＲＣを実行して送信が正しいかどうかを知ることができる。いくつかの実施形態では、ターゲット送信パターンは、ＣＲＣを実行するための信号のマスク、ＣＲＣを実行するための信号の長さ、およびＣＲＣが正しいかどうかのうちの１つまたは複数によって示される。
【００５７】
フィードバック信号（以下、「フィードバック情報」とも称する）は、ＡＣＫ（Acknowledgement）またはＮＡＣＫ（Negative Acknowledgement）を含むが、これらに限定されない。いくつかの実施形態では、ターゲット送信パターンは、時間領域または周波数領域におけるフィードバック信号の位置によって示される。例えば、フィードバック信号が時間領域または周波数領域のいずれかで予め決められた位置で送信され、その位置が下りリンク中心送信パターンを示すために予め決められている場合、ターゲット送信パターンは下りリンク送信パターンであると決定される。
【００５８】
いくつかの実施形態では、方法３００はネットワーク装置、例えば図１のＢＳ１１０によって実行されてもよい。そのような実施形態では、ＢＳ１１０は、ネットワーク装置によってサービス提供される端末装置（例えば、ＵＥ１２１および１２２）のそれぞれについての候補送信パターンの組からターゲット送信パターンを決定することができ、ターゲット送信パターンを必要としないことは、各端末装置について同じである。
【００５９】
いくつかの実施形態では、方法３００は端末装置、例えばＵＥ１２１またはＵＥ１２２によって実行されてもよい。そのような実施形態では、ＵＥ１２１または１２２は、それとＢＳ１１０との間で信号を送信するのに適しているターゲット送信パターンを決定することができる。
【００６０】
いくつかの実施形態では、候補送信パターンのそれぞれは、ＤＬ送信部分および／またはＵＬ送信部分を含んでもよく、候補送信パターンは、それぞれのＤＬ送信部分の持続時間および／または各ＤＬ送信部分および／またはＵＬ送信部分のサブキャリアスペースに関して互いに異なってもよい。実施形態では、ターゲット送信パターンで送信される信号は、それだけに限らないが、ＤＬ送信部分および／またはＵＬ送信部分の持続時間、ＤＬ送信部分および／またはＵＬ送信部分のサブキャリアスペース、ＤＬ送信部分とＵＬ送信部分との間のガード期間（ＧＰ：Guard Period）部分の期間、ＤＬ送信部分またはＵＬ送信部分で通信があるかどうか、のうちの１つまたは複数を示す。
【００６１】
上述したように、送信パターンは、時間領域では１つのサブフレームまたは一定数のシンボルに対応し、周波数領域では１つまたは複数のサブキャリアに対応する。本開示の実施形態では、サブキャリアスペースは、２つのサブキャリア間のスペースを指し、シンボルの持続時間（「シンボル持続時間」とも称される）に反比例する。シンボル期間は、サブキャリアスペースの逆数に従って計算されてもよい。例えば、サブキャリアスペースが１５ｋＨｚの場合、対応するシンボル期間は６６．６７ｕｓです。
【００６２】
さらに図３を参照すると、ブロック３２０において、ターゲット送信パターンを使用することによってネットワーク装置と端末装置との間で通信が行われる。いくつかの実施形態では、ネットワーク装置（例えばＢＳ１１０）がブロック３１０において端末装置（例えばＵＥ１２２）のためのターゲット送信パターンを決定するとき、それはターゲット送信パターンを使用することによってＵＥ１２２との通信を実行することができる。例えば、ＢＳ１１０は、ターゲット送信パターンに従って、データをＵＥ１２２に送信するか、またはＵＥ１２２からデータを受信することができる。
【００６３】
あるいは、端末装置（例えば、ＵＥ１２２）がブロック３１０でターゲット送信パターンを決定するとき、それはターゲット送信パターンを使用することによってＢＳ１１０との通信を実行することができる。例えば、ＵＥ１２２は、ターゲット送信パターンに従ってＢＳ１１０にデータを送信したり、ＢＳ１１０からデータを受信したりすることができる。
【００６４】
本開示の実施形態によれば、ＲＳ、ＣＲＣを実行するための信号、およびフィードバック信号などの様々な信号は、部分の送信期間が空かどうか、各部分の異なる数値、異なるサブフレームタイプ、各部分の異なる送信間隔などのターゲット送信パターンのうちの１つまたは複数を示す。
【００６５】
開示に関連するいくつかの実施形態は、以下のように説明される。図４は、本開示の実施形態によるＲＳ指示の図４００を示す。ＲＳ指示は、ＲＳを介して実施される指示を示す。図４の例では、４１０において、ＲＳの異なる周波数シフトが、ＵＬ送信部分の持続時間が空か否かを示すことが示される。４２０において、ＲＳの異なる周波数シフトは、ＧＰの異なる持続時間を示す。４３０において、ＲＳの異なる周波数シフトは、ＵＬ送信部分（例えば、ＰＵＣＣＨ）の異なるNumerologyを示す。
【００６６】
図５Ａおよび５Ｂは、本開示の実施形態によるＲＳ指示の図５００および５５０を示す。図５Ａの例において、ＲＳが存在しているか否かは、ターゲット送信パターンの一部の送信期間が空か否かを示す。図５Ｂの例において、時間／周波数領域における基準信号の異なる密度または異なるＲＳ Numerologyは、ターゲット送信パターンの一部の送信期間が空か否か、異なるNumerologyまたはターゲット送信パターンの各部分の持続時間、異なるサブフレームタイプなどを示す。
【００６７】
図６Ａから図６Ｃは、本開示の実施形態によるＲＳ指示の図６００、６１０および６２０をそれぞれ示す。図６Ａの例において、異なる初期化パラメータは異なる場合に対応する。初期化パラメータは、異なるＲＳを生成するために使用される。したがって、異なる初期化パラメータは、ターゲット送信パターンの指示として使用される。
【００６８】
図６Ｂの例では、ＲＳを生成するための初期シーケンスは、初期化パラメータｑに基づいて得られる。ｑが異なると、初期化シーケンスは異なり、ターゲット送信パターンの指示として使用される。
【００６９】
図６Ｃの例では、ＲＳの異なる巡回シフト（ＣＳ：Cyclic Shifts）がターゲット送信パターンの指示として使用されてもよい。
【００７０】
図７は、本開示の実施形態によるＲＳ指示の図７００を示す。図７の例では、ＲＳシーケンスまたは位置、異なるＣＳ（または他の変換）、ＲＳ密度、ＲＳ Numerology、またはＲＳが存在するかどうかを使用して、異なる送信間隔を示すことができる。例えば、ＧＰ期間が異なる／追加のＰＰかどうか、持続時間が空かどうか、例えば、パンクチャまたはレートマッチングかどうか、異なるNumerology、異なるサブフレームタイプなど。
【００７１】
図８は、本開示の実施形態による、ＴＤＤおよび異なるＧＰ期間に関する、異なる端末装置、ＵＥ１およびＵＥ２のための送信パターンの図８００を示す。本開示の実施形態では、エンハンストモバイルブロードバンド（ｅＭＢＢ：enhanced Mobile BroadBand）は、ユーザプレーン遅延時間に関して比較的緩い要件、例えば、ＵＬ／ＤＬ送信については４ミリ秒を有する。低遅延通信（ＵＲＬＬＣ）は、比較的厳しいユーザプレーン遅延時間、例えば、ＵＬ／ＤＬ送信については０．５ｍｓを要求する。図８の例では、ｅＭＢＢ端末装置はＵＥ１と呼ばれ、超高信頼のＵＲＬＬＣ端末装置はＵＥ２と呼ばれる。
【００７２】
ＵＥ２に関しては、２つの送信パターンが示されており、それらは同じである。ＤＬ送信部分８２１は、ＤＬデータを送信するためのものであり、少ないシンボルを含む短い下りリンク領域として記載される。１つの実施形態において、ＤＬ送信部分８２１のシンボル数は、制御情報を送信するための他のＤＬ送信部分８２８に含まれるＤＣＩによって示されてもよい。
【００７３】
迅速なＡＣＫ／ＮＡＣＫフィードバックが同じ送信パターンにおいて要求される場合、ＧＰ８２２または８２３は、ＧＰが上りリンク送信のための処理時間、送信進み（ＴＡ：Transmission Advance）および遷移時間の合計をカバーできるように長い期間として設定される。したがって、ＵＥ２は、下りリンクデータを処理し、ＴＡと共に上りリンクを送信するのに十分な時間を有することができる。
【００７４】
ＵＥ１に関して、ＧＰは短い期間として設定される。多重送信パターンスケジューリングを用いるＵＥ１の場合、処理時間がない（ＴＡ期間がＵＥ２と揃うだけ空のままにする）ことが可能であり、したがって、この送信パターンにＰＵＣＣＨ送信がないときはより短いＧＰを使用することができる。ＵＥ１のＰＵＣＣＨ送信のためのタイムアドバンス（ＴＡ）に合わせるための連続的なスケジューリングを伴うより短い空期間８１１がある。複数のサブフレームスケジューリングが採用されるとき、ＤＣＩが無い場合、ＵＥ１は最初のサブフレーム内のＤＣＩを監視するだけでよく、後続のサブフレーム内（連続下りリンクデータ送信）の制御領域をスキップしてもよい。コンパクトＤＣＩのみが有る場合、ＵＥ１は、最初のサブフレームにおいて通常のＤＣＩを監視し、次のサブフレームにおいてコンパクトＤＣＩを監視するだけでよい。いくつかの代替の実施形態では、ＵＥ１は他のＤＣＩ（まだ、いくつかのＤＣＩ領域が予約されている）を監視することができる。
【００７５】
図９は、本開示の実施形態によるＣＲＣ指示の図９００を示す。ＵＥ１に関しては、異なるＣＲＣ（例えば、マスクまたは長さまたは位置）は、ターゲット送信パターンの一部の異なる持続時間を示す。１つの実施形態では、ＵＥ１は、最初の受信サイズの後にＣＲＣをチェックすることができる。本開示の実施形態では、用語「受信サイズ」は受信シンボルの数を指すことがある。次に、ＵＥ１は、正しい受信サイズを見つけるまで、第２の受信サイズの後にＣＲＣをチェックすることができる。したがって、ＵＥ１は、正しい受信サイズに基づいてデータを復号することができる。
【００７６】
別の実施形態では、例えば異なるマスクまたは異なる長さを有する異なるＣＲＣシーケンスが送信期間の終わりに付けられる。送信期間は、ＵＬ／ＤＬデータを送信するための１つまたは複数のサブフレームを含む。図８の例では、ＵＥ１の送信期間は２サブフレームであり、ＵＥ２の送信期間は１サブフレームを含む。異なるＣＲＣシーケンスは、送信期間において、別々にまたは組み合わせて、異なる送信パターンを示すことができる。
ＵＥ１は、正しい送信シーケンスを見つけるまで、全送信期間で受信し、異なるＣＲＣシーケンスをチェックすることができる。そして、ＵＥ１は、正しいＣＲＣシーケンスに対応する送信パターンに基づいてデータを復号することができる。
【００７７】
別の実施形態では、ＵＥ１は、全送信期間にわたって受信し、正しい送信パターンを見つけるまで、異なる送信パターンについてブラインドデコーディングを数回実行することができる。
【００７８】
図１０Ａおよび１０Ｂは、本開示の実施形態によるフィードバック信号表示の図１０００および１０５０を示す。図１０Ａによって示される実施形態では、フィードバック信号（ＡＣＫ／ＮＡＣＫ）は異なる時間位置にある。例えば、ＡＣＫのフィードバック信号は１つのシンボルにあり、ＮＡＣＫのフィードバック信号は別のシンボルにある。ＡＣＫ／ＮＡＣＫは、時間位置によって暗黙的に示されてもよい。ネットワーク装置は、例えばデータ復調を行わずに相関をとることにより、その時間位置におけるフィードバック信号を検出してもよい。図１０Ｂによって示される実施形態では、フィードバック信号（ＡＣＫ／ＮＡＣＫ）は異なる周波数位置にある。例えば、ＡＣＫのフィードバック信号は、いくつかのサブキャリア、例えば、偶数サブキャリアにあり、ＮＡＣＫのフィードバック信号は、いくつかの他のサブキャリア、例えば、奇数サブキャリアにある。ＡＣＫ／ＮＡＣＫは、周波数位置によって暗黙的に示されてもよい。ネットワーク装置は、例えば、データ復調を行わずに相関をとることにより、周波数位置におけるＡＣＫ／ＮＡＣＫのフィードバック信号を検出してもよい。このようにして、ＡＣＫ／ＮＡＣＫはより速い方法で取得される。別の実施形態では、ＡＣＫ／ＮＡＣＫは、フィードバック信号のシーケンスまたは巡回シフトを用いて示されてもよい。例えば、ＡＣＫは基本信号の１つのシーケンスまたは１つの巡回シフトで示され、ＮＡＣＫは基本信号の２番目のシーケンスまたは２番目の巡回シフトで示される。
【００７９】
図１１Ａは、本開示の実施形態による、ＤＬバンド内での上りリンク送信の図１１００を示す。図１１Ａの実施形態では、周波数リソースに関して、ＰＵＣＣＨは、ＤＬバンド内で一定数の周波数範囲を割り当てられてもよい。そして、割り当てられた周波数範囲の両側にガード範囲が追加される。他の周波数リソースは、他のＵＥの下りリンク送信のための下りリンクリソースとしてスケジュールされ得る。１１０１で示される部分は、ＤＬバンドまたはＵＬバンドでＰＵＣＣＨに割り当てられた周波数範囲内で報告されてもよい。いくつかの実施形態では、ＰＵＣＣＨに割り当てられた周波数範囲は、ＤＬ送信部で送信される制御情報、例えば、ＤＣＩ、または無線リソース制御（ＲＲＣ：Radio Resource Control）シグナリングで示される。別の実施形態では、ＵＥに割り当てられた１組の周波数範囲は、ＲＲＣで示され、周波数範囲の組のうちの１つは、ＤＣＩで示される。図１１Ｂおよび図１１Ｃは、本開示の実施形態による図１１Ａの１１０１によってそれぞれに示される部分のリソース割り当ての図１１１０および１１２０を示す。
【００８０】
図１２は、上記の実施形態による周波数リソース構成の図１２００を示す。
【００８１】
図１３は、本開示の実施形態による周波数リソース構成の他の図１３００を示す。図１３の例では、図１２の例（ホッピングなし）とは異なり、ＰＵＣＣＨの周波数リソースはホッピングする。
【００８２】
図１４は、本開示の実施形態による周波数リソース構成のさらに別の図１４００を示す。図１４の例では、ＰＵＣＣＨ用の周波数リソースは周期的に割り当てられる。
【００８３】
図１５は、本開示の実施形態による、ＤＬバンドのガードバンドにおけるＡＣＫ／ＮＡＣＫの図１５００を示す。図１５に示す実施形態では、ＡＣＫ／ＮＡＣＫは、ガードバンドで報告されてもよく、ＵＥは、異なるスケジューリング時間間隔を有してもよい。別の実施形態では、送信の終わりに、ＡＣＫ／ＮＡＣＫがガードバンド内で報告されてもよく、ＧＰは、処理時間と送信アドバンス（ＴＡ）の両方をカバーしてもよい。長い時間間隔のＵＥ（例えば、ｅＭＢＢ  ＵＥ）の場合、処理時間は、より長いので、ＧＰは、比較的長い持続時間を有する。いくつかの実施形態では、ガードバンド内のＡＣＫ／ＮＡＣＫに割り当てられた周波数範囲は、ＤＬ送信部分で送信される制御情報、例えばＤＣＩ、または無線リソース制御（ＲＲＣ）シグナリングで示される。別の実施形態では、ＵＥに割り当てられた１組の周波数範囲は、ＲＲＣ内で示され、周波数範囲の組のうちの１つは、ＤＣＩで示される。
【００８４】
図１６は、本開示の実施形態による、ガードバンド内のＡＣＫ／ＮＡＣＫの図１６００を示す。図１６に示す実施形態では、ＡＣＫ／ＮＡＣＫはガードバンドで報告されてもよく、ＵＥは異なるスケジューリング時間間隔を有してもよい。長い時間間隔のＵＥ（例えば、ｅＭＢＢ  ＵＥ）は、短い時間間隔のＵＥ（例えば、ＵＲＬＬＣ  ＵＥ）とは異なるＨＡＲＱタイミングを有してもよい。
【００８５】
短い時間間隔のＵＥの場合、フィードバックは同じサブフレーム内で実行されてもよく、処理のためのより長いＧＰおよびＴＡを有してもよい。
【００８６】
長い時間間隔のＵＥの場合、フィードバックは、ｎ＋ｋサブフレームで実行されてもよい。ＡＣＫ／ＮＡＣＫを含むサブフレームに関しては、ＴＡに対して短いＧＰが必要とされるかもしれない。一方、ＡＣＫ／ＮＡＣＫが必要とされない場合、サブフレームはＧＰを含まなくてもよい。
【００８７】
図１７は、本開示の実施形態による、ガードバンド内のＡＣＫ／ＮＡＣＫの図１７００を示す。図１７に示す実施形態では、ＵＲＬＬＣ  ＵＥとｅＭＢＢ  ＵＥとでは異なるＡＣＫ／ＮＡＣＫリソースがある。例えば、ＵＬ送信部分は、セミスタティックに構成されてもよい。そして、いくつかのＵＥにとっては、ＡＣＫ／ＮＡＣＫが報告される必要があるときに設定されたＵＬ送信部分がある場合、ＡＣＫ／ＮＡＣＫは、リソース構成１に従ってＵＬ送信部分内において送信される。そうではなく、ＡＣＫ／ＮＡＣＫが報告される必要があるときに構成されたＵＬ送信部分がない場合、ＡＣＫ／ＮＡＣＫは下りリンクバンド（例えば、ガードバンド）内のリソース構成２において報告される。例えば、上りリンク送信部分は、セミスタティックでセミスタティック的に構成されてもよく、またはｅＭＢＢスケジューリング時間（すなわち、ｅＭＢＢ  ＵＥからのＡＣＫ／ＮＡＣＫの場合、上りリンクリソースが存在し、上りリンクリソースが存在するかどうかがＵＲＬＬＣ  ＵＥに示される）に関連してもよい。
【００８８】
あるいは、ＵＲＬＬＣのＡＣＫ／ＮＡＣＫに関しては、ガードバンド内またはＤＬバンド内に割り当てられたリソースで報告されてもよい。ｅＭＢＢのＡＣＫ／ＮＡＣＫに関しては、構成された上りリンクリソースがあり得る。
【００８９】
あるいは、すべてのＡＣＫ／ＮＡＣＫは、ガードバンド内またはＤＬバンド内に割り当てられたリソースで報告されてもよい。
【００９０】
図１８は、本開示の実施形態による、ＤＬバンド内の割り当てられたリソースにおけるＡＣＫ／ＮＡＣＫの図１８００を示す。図１８に示す実施形態では、ｅＭＢＢマルチサブフレームスケジューリングの場合、ＵＲＬＬＣと多重化されると、ｅＭＢＢ  ＵＥは下りリンクＲＳを送信するためにＧＰ範囲とＰＵＣＣＨ範囲を使用し、ＵＲＬＬＣ  ＵＥはＡＣＫ／ＮＡＣＫとＤＭＲＳ（ＤＭＲＳで変調されたＡＣＫ／ＮＡＣＫ）を送信する。上りリンクおよび下りリンクＲＳは同じ構造を有することができるので、干渉はＲＳの直交または擬似ランダムまたは巡回シフトによって除去することができる。
【００９１】
図１９は、本開示の実施形態による、ＵＬバンド内の下りリンク送信の図１９００を示す。図１９に示す実施形態では、ＰＤＣＣＨリソースは、ＵＬバンド内の一定数の周波数範囲で構成されてもよい。また、ガード範囲は、設定された周波数範囲の両側に配置されてもよい。他のリソースは、他のＵＥに対する上りリンクとしてスケジュールされてもよい。いくつかの実施形態では、ＰＤＣＣＨに割り当てられた周波数範囲は、ＤＬ送信部分で送信される制御情報、例えばＤＣＩ、または無線リソース制御（ＲＲＣ）シグナリングで示される。別の実施形態では、ＵＥに割り当てられた周波数範囲の１組は、ＲＲＣで示され、周波数範囲の組のうちの１つは、ＤＣＩで示される。
【００９２】
図２０は、本開示の実施形態によるＤＬ送信の図２０００を示す。図２０に示す実施形態では、リソースは、下りリンクバンドでの上りリンク送信、上りリンクバンドでの下りリンク送信、ガードバンドでのＡＣＫ／ＮＡＣＫ送信などのために構成される。例えば、下りリンクバンドでの上りリンク送信のために、ｅＮＢは上りリンク送信のためにいくつかの予約されたリソースを構成することができる。割り当てられた下りリンクリソースが予約されたリソースと衝突する場合、下りリンク送信はパンクチャリングされるか、または、レートマッチングされてもよい。別の実施形態では、上りリンク送信のために、２段階リソース構成があり得る。すなわち、予約されたリソース内で、ＵＥは、リソースのいくつかの部分を用いてさらに構成される。異なる上りバンドリンク送信タイプがあり、例えば、１つは下りリンクでの上りリンク送信（リソースが構成される）であり、もう１つは上りリンク間隔での上りリンク送信である。例えば、２つの上りリンク送信タイプが衝突した場合、上りリンク送信は上りリンク時間間隔で実行される。
【００９３】
図２１は、本開示の一実施形態による装置２１００の概略図を示す。本開示の実施形態によれば、装置２１００は、ＢＳ１１０などのネットワーク装置、ＵＥ１２１または１２２などの端末装置、または通信システム内の他の適切な装置に実装される。
【００９４】
図２１に示すように、装置２１００は、１組の候補送信パターンからターゲット送信パターンを決定するように構成されたコントローラ２１１０を備える。ターゲット送信パターンは、基準信号、巡回冗長検査（ＣＲＣ）のための信号、およびフィードバック信号の１つまたはそれ複数を含む信号によって表示され、トランシーバ２１２０は、ターゲット送信パターンを用いてネットワーク装置と端末装置との間の通信を行う。
【００９５】
一実施形態では、ターゲット送信パターンは、周波数領域における基準信号の位置、時間領域における基準信号の位置、周波数領域における基準信号の密度、時間領域における基準周波数の密度、周波数領域における基準信号のサブキャリアスペース、時間領域における基準信号のシンボル期間、時間領域における基準信号のシンボル数、基準信号を生成するための初期化パラメータまたは初期化シーケンス、および基準信号の巡回シフト、のうちの１つまたは複数によって示される。
【００９６】
一実施形態では、ターゲット送信パターンは、ＣＲＣを実行するための信号のマスク、ＣＲＣを実行するための信号の長さ、およびＣＲＣが正しいかどうかのうちの１つまたは複数によって示される。
【００９７】
一実施形態では、フィードバック信号は肯定応答（ＡＣＫ）または否定応答（ＮＡＣＫ）とすることができ、ターゲット送信パターンは時間領域または周波数領域におけるフィードバック信号の位置によって示すことができる。
【００９８】
一実施形態では、候補送信パターンのそれぞれは、ＤＬ送信部分および／またはＵＬ送信部分を含み、候補送信パターンは、それぞれの持続時間、および／または、ＤＬ送信部分および／またはＵＬ送信部分サブキャリアスペースに関して互いに異なる。
【００９９】
一実施形態では、ターゲット送信パターンで送信される信号は、ＤＬ送信部分および／またはＵＬ送信部分の持続時間、ＤＬ送信部分および／またはＵＬ送信部分のサブキャリアスペース、ＤＬ送信部分とＵＬ送信部分との間のＧＰ部分の継続時間、ＤＬ送信部分またはＵＬ送信部分のどちらで通信が有るかどうか、のうちの１つまたは複数を示す。
【０１００】
一実施形態では、コントローラ２１１０は、ネットワーク装置において、端末装置ごとに、ターゲット送信パターンが同じであることを要求することなく、ネットワーク装置によって提供される端末装置のそれぞれについての候補送信パターンの組から、ターゲット送信パターンを決定するようにさらに構成される。
【０１０１】
本開示の実施形態はまた、ネットワーク装置または端末装置において実行される装置を提供した。装置は、１組の候補送信パターンからターゲット送信パターンを決定するための手段を含み、ターゲット送信パターンは、基準信号、巡回冗長検査（ＣＲＣ）を実行するための信号、フィードバック信号、のうちの１つまたは複数を含む信号によって示され、ターゲット送信パターンを用いてネットワーク装置と端末装置との間で通信を行う手段を含む。
【０１０２】
また、装置２１００は、現在知られているかまたは将来開発されるいずれかの任意の適切な技法によってそれぞれ実装されることに留意されたい。また、図２１に示す装置単体は、あるいは、複数の装置に別々に実装されてもよく、複数の別々の装置は単一の装置に実装されてもよい。本開示の範囲はこれらの点において限定されない。
【０１０３】
装置２１００は、図３から図２０を参照して説明されたような機能を実装するように構成されることに留意されたい。したがって、方法３００に関して説明した特徴は、装置２１００の対応する構成要素に適用することができる。さらに、装置２１００の構成要素は、ハードウェア、ソフトウェア、ファームウェア、および／またはそれらの任意の組み合わせで具現化されることに留意されたい。例えば、装置２１００の構成要素は、回路、プロセッサ、または任意の他の適切な装置によってそれぞれ実装される。当業者であれば、前述の例は例示のためだけであり、限定のためではないことを理解するであろう。
【０１０４】
本開示のいくつかの実施形態では、装置２１００は少なくとも１つのプロセッサを有する。本開示の実施形態と共に使用するのに適した少なくとも１つのプロセッサは、例として、既に知られているかまたは将来開発される汎用プロセッサおよび特殊用途プロセッサの両方を含む。装置２１００は、少なくとも１つのメモリをさらに含む。少なくとも１つのメモリは、例えば、ＲＡＭ、ＲＯＭ、ＥＰＲＯＭ、ＥＥＰＲＯＭ、およびフラッシュメモリ装置などの半導体メモリ装置を含むことができる。少なくとも１つのメモリは、コンピュータ実行可能命令のプログラムを格納するために使用され得る。プログラムは、高水準および／または低水準の適合性のあるまたは解釈可能な任意のプログラミング言語で書くことができる。実施形態によれば、コンピュータ実行可能命令は、少なくとも１つのプロセッサを用いて、装置２１００に少なくとも上述の方法３００に従って実行させるように構成することができる。
【０１０５】
上記の説明に基づいて、当業者は、本開示が装置、方法、またはコンピュータプログラム製品において具現化され得ることを理解するであろう。一般に、様々な例示的実施形態は、ハードウェアまたは特殊用途の回路、ソフトウェア、論理、あるいはそれらの任意の組み合わせで実施することができる。例えば、いくつかの態様はハードウェアで実施されてもよく、他の態様はコントローラ、マイクロプロセッサまたは他のコンピューティングデバイスによって実行され得るファームウェアまたはソフトウェアで実施されてもよいが、本開示はそれに限定されない。本開示の例示的な実施形態の様々な態様は、ブロック図、フローチャートとして、または他の絵表示を使用して図示され、および説明されるが、本明細書に記載のこれらのブロック、装置、システム、技法または方法は、非限定的な例として、ハードウェア、ソフトウェア、ファームウェア、専用回路もしくは論理、汎用ハードウェアもしくはコントローラもしくは他のコンピューティング装置、またはそれらのいくつかの組み合わせによって実行されることを理解されたい。
【０１０６】
図３に示されている様々なブロックは、方法ステップとして、および／またはコンピュータプログラムコードの動作から生じる動作として、および／または関連する機能を実行するように構成された複数の結合論理回路要素として、見なすことができる。本開示の例示的実施形態の少なくともいくつかの態様は、集積回路チップおよびモジュールなどの様々な構成要素で実施することができ、本開示の例示的実施形態は、本開示の例示的な実施形態に従って動作するように構成された集積回路、ＦＰＧＡまたはＡＳＩＣを備えた装置で実現できる。
【０１０７】
本明細書は多くの具体的な実装の詳細を含むが、これらはいかなる開示の範囲または主張され得るものに対する限定としてではなく、むしろ特定の開示の特定の実施形態に特有であり得る特徴の説明として解釈されるべきである。本明細書において別々の実施形態の文脈で説明されている特定の特徴は、単一の実施形態において組み合わせて実施することもできる。逆に、単一の実施形態の文脈で説明されている様々な特徴は、別々にまたは任意の適切なサブ組み合わせで複数の実施形態でも実施することができる。さらに、特徴は特定の組み合わせで作用するものとして上に記載され、最初はそのように主張されてもよいが、請求された組み合わせからの１つ以上の特徴は組み合わせから切り離され、そして請求された組み合わせはサブ組み合わせに、またはサブ組み合わせのバリエーションに向けられる。
【０１０８】
同様に、動作は特定の順序で図面に描かれているが、望ましい結果を達成するためには、そのような動作が示された特定の順序または順番に実行されること、または示されたすべての動作が実行されることを必要とすると理解すべきではない。特定の状況では、マルチタスキングおよび並列処理が有利な場合がある。さらに、上述の実施形態における様々なシステム構成要素の分離は、すべての実施形態においてそのような分離を必要とすると理解されるべきではなく、説明されるプログラム構成要素およびシステムは一般的に単一のソフトウェア製品に統合されるかまたは複数のソフトウェア製品にパッケージ化される。
【０１０９】
本開示の前述の例示的な実施形態に対する様々な修正形態、適合形態は、添付の図面と併せて読めば、前述の説明から当業者には明らかとなる。ありとあらゆる修正は、依然として本開示の非限定的で例示的な実施形態の範囲内に入る。さらに、本明細書に記載された開示の他の実施形態は、前述の説明および関連する図面に提示された教示の恩恵を受けて、本開示のこれらの実施形態が関連する当業者に思い浮かぶであろう。
【０１１０】
したがって、本開示の実施形態は開示された特定の実施形態に限定されるべきではなく、修正形態および他の実施形態は添付の特許請求の範囲内に含まれることが意図されることを理解されたい。本明細書では特定の用語が使用されているが、それらは一般的かつ説明的な意味でのみ使用されており、限定を目的とするものではない。
【図１】
2019527511.tif 000003
【図２】
2019527511.tif 000004
【図３】
2019527511.tif 000005
【図４】
2019527511.tif 000006
【図５Ａ】
2019527511.tif 000007
【図５Ｂ】
2019527511.tif 000008
【図６Ａ】
2019527511.tif 000009
【図６Ｂ】
2019527511.tif 000010
【図６Ｃ】
2019527511.tif 000011
【図７】
2019527511.tif 000012
【図８】
2019527511.tif 000013
【図９】
2019527511.tif 000014
【図１０Ａ】
2019527511.tif 000015
【図１０Ｂ】
2019527511.tif 000016
【図１１Ａ】
2019527511.tif 000017
【図１１Ｂ】
2019527511.tif 000018
【図１１Ｃ】
2019527511.tif 000019
【図１２】
2019527511.tif 000020
【図１３】
2019527511.tif 000021
【図１４】
2019527511.tif 000022
【図１５】
2019527511.tif 000023
【図１６】
2019527511.tif 000024
【図１７】
2019527511.tif 000025
【図１８】
2019527511.tif 000026
【図１９】
2019527511.tif 000027
【図２０】
2019527511.tif 000028
【図２１】
2019527511.tif 000029
【国際調査報告】
2019527511.tif 000030
2019527511.tif 000031